(57)【要約】  本方法及び装置は、臨床若しくは専用のプロフェッショナル設定での、対象自身の家というプライバシーでの、又は、快適かつリラックスしたフィットネスルーム、スポーツアクティビティセンター、若しくはスパのような環境での、脂肪低減、痩身、セルライト低減、皮膚引き締め、及び皮膚リジュベネーションのような、ただしこれらに限られない美容ボディコントワリング・トリートメントに使用されるボディコントワリング装置を与える。
2013520270.tif 000002
【特許請求の範囲】
【請求項１】
ボディコントワリング装置であって、
対象の身体の少なくとも一部を収容するべく動作可能な少なくとも１つの身体収容表面と、
コントローラと、
ＲＦエネルギー源と、
前記身体収容表面に取り外し可能に接続された少なくとも１つのエネルギー送達モジュラーコンポーネントであって、前記コントローラ及び前記ＲＦエネルギー源と通信し、及び、被トリートメント組織のセグメントにわたり掃引組織加熱波効果をもたらすべく動作可能な少なくとも１つのＲＦ送達電極を有するエネルギー送達モジュラーコンポーネントと
を含む装置。
【請求項２】
前記装置はさらに、
温度センサ、圧力センサ、インピーダンスセンサからなる群から選択される少なくとも１つのセンサと、
タイマーと
を含み、
前記コントローラは、所定のトリートメントプロトコルに応じて前記センサ及びタイマーと通信し、これらから受け取ったデータをデータベースに格納し、並びに、前記エネルギー送達モジュラーコンポーネントに関連するトリートメントパラメータをモニタするべく動作可能である、請求項１に記載の装置。
【請求項３】
前記身体収容表面及びエネルギー送達モジュラーコンポーネントの少なくとも１つは固定されている、請求項１に記載の装置。
【請求項４】
前記効果は、直線及び回転掃引組織加熱波効果の少なくとも１つである、請求項１に記載の装置。
【請求項５】
前記エネルギー送達モジュラーコンポーネントはさらに、被トリートメント組織のセグメントを加熱する可視及び赤外範囲の少なくとも１つの光を放出するべく動作可能な少なくとも１つの発光素子を含む、請求項１に記載の装置。
【請求項６】
前記トリートメントパラメータは、温度、圧力、並びにＲＦ電圧及び周波数からなる群から選択される少なくとも１つのパラメータである、請求項２に記載の装置。
【請求項７】
前記身体収容表面及び／又は前記エネルギー送達モジュラーコンポーネントは、これに接触する前記対象の身体の前記一部に機械エネルギーを適用するべく動作可能であり、前記コントローラはまた、適用された前記機械エネルギーをモニタかつ制御するべく動作可能である、請求項１に記載の装置。
【請求項８】
前記身体収容表面は、身体マッサージユニット、ポータブル振動適用クッション、身体サポートアクセサリ、スポーツ衣料、ウェスト引き締めマッサージベルト、及びトレッドミルの少なくとも１つと関連付けられる、請求項１に記載の装置。
【請求項９】
前記モジュラーコンポーネントは使い捨て可能である、請求項１に記載の装置。
【請求項１０】
前記モジュラーコンポーネントはさらに、ＲＦエネルギー、光エネルギー、機械エネルギーからなる群から選択される少なくとも１つのタイプのエネルギーを前記身体に適用するべく動作可能な複数の離間適用素子の所定パターンを１つの表面に有する少なくとも１つのキャリアを含む、請求項１に記載の装置。
【請求項１１】
前記ＲＦ送達電極により前記身体に適用される前記ＲＦエネルギーは、適用されるトリートメントのタイプ及び被トリートメント身体の部分に応じて１Ｗから４０Ｗの範囲にある、請求項１に記載の装置。
【請求項１２】
前記装置コントローラはさらに、ユーザ情報、好み及び設定、並びに以前のトリートメントセッションから受け取られたデータに関する情報の入力を可能とする少なくとも１つの自動及び手動入力機能を含む、請求項１に記載の装置。
【請求項１３】
前記自動入力機能は、センサ及びタイマーの少なくとも１つから受け取られた情報の自動入力を可能とする、請求項１２に記載の装置。
【請求項１４】
前記コントローラはさらに、
前記所定のトリートメントプロトコルに応じて美容トリートメントパラメータを調整することと、
センサ及びタイマーの少なくとも１つから入力された情報に関連して美容トリートメントパラメータを調整することと、
所定のトリートメントパラメータ及びトリートメント継続時間の少なくとも１つに応じてトリートメント適用を終了及び再開することと、
所定のトリートメントプロトコルに応じて前記トリートメントパラメータからの逸脱に関してユーザに警告することと、
使い捨て可能モジュラーコンポーネント交換時期警告をユーザに与えることと
の機能の少なくとも１つを実行するべく動作可能である、請求項１に記載の装置。
【請求項１５】
前記コントローラはさらに、
組織の過熱を防止するべくトリートメント継続時間を制限することと、
前記エネルギー送達モジュラーコンポーネントの使用時間を制限することと、
使い捨て可能モジュラーコンポーネントの交換時期警告を与えることと、
所定の使用回数又は最大許容使用継続時間に従うことと、
前記コントローラに使用回数、使用継続時間、及び使用日のような使用データを前記コントローラに与えることと
を行うべく動作可能である、請求項１に記載の装置。
【請求項１６】
前記コントローラはさらに、
インターネットと通信することと、
前記インターネットから情報を受け取ることと、
受け取られた前記情報に応じて美容トリートメントパラメータを調整することと
を行うべく動作可能である、請求項１に記載の装置。
【請求項１７】
前記ＲＦエネルギー源は、使い捨て可能エネルギー源及び充電可能エネルギー源の少なくとも１つである、請求項１に記載の装置。
【請求項１８】
ボディコントワリング装置のための使い捨て可能エネルギー送達モジュラーコンポーネントであって、
対象の身体の少なくとも一部を収容するべく動作可能な少なくとも１つの身体収容接触表面と、
前記身体収容接触表面に取り付けられた少なくとも１つのＲＦエネルギー送達電極であって、前記対象の身体の前記少なくとも一部にＲＦエネルギーを適用し、及び、被トリートメント組織のセグメントにわたり掃引組織加熱波効果をもたらすべく動作可能な少なくとも１つのＲＦエネルギー送達電極と、
前記対象の身体の前記少なくとも一部に機械エネルギーを伝達するべく動作可能な少なくとも１つの機械エネルギー送達素子と
少なくとも１つのセンサと
を含むコンポーネント。
【請求項１９】
美容トリートメントの方法であって、
使い捨て可能エネルギー送達コンポーネントを身体のセグメントに結合することと、
前記エネルギー送達コンポーネントを使用して、被トリートメント組織のセグメントにわたり少なくとも１つのタイプのエネルギーを適用し、及び、掃引組織加熱波効果をもたらすことと、
前記エネルギーの少なくとも１つによりもたらされた効果の少なくとも１つを感知してフィードバックを与えることと、
前記フィードバック及び所定のトリートメントプロトコルに応じて、前記身体のセグメントに適用される前記エネルギーの少なくとも１つのタイプ、及びトリートメントパラメータを変更することと
を含む方法。
【請求項２０】
前記効果は、直線及び回転掃引組織加熱波効果の少なくとも１つである、請求項１９に記載の方法。
【請求項２１】
前記エネルギーのタイプは、ＲＦエネルギー、光エネルギー、機械エネルギーからなる群から選択される、請求項１９に記載の方法。
【請求項２２】
前記身体に適用される前記ＲＦエネルギーは、適用されるトリートメントのタイプ及び被トリートメント身体の部分に応じて１Ｗから４０Ｗの範囲にある、請求項１９に記載の方法。
【請求項２３】
前記フィードバックは、温度、圧力、及びインピーダンスからなる群から選択される少なくとも１つのタイプのフィードバックである、請求項１９に記載の方法。
【請求項２４】
前記トリートメントパラメータは、温度、圧力、並びにＲＦ電圧及び周波数からなる群から選択される少なくとも１つのタイプのパラメータである、請求項１９に記載の方法。
【請求項２５】
振動エネルギーを与えることをさらに含む、請求項１９に記載の方法。
【請求項２６】
所定のトリートメントパラメータ及びトリートメント継続時間の少なくとも１つに応じてトリートメント適用を終了及び再開することと、
所定のトリートメントプロトコルに応じて前記トリートメントパラメータからの逸脱に関してユーザに警告することと、
所定の使用回数又は最大許容使用継続時間に基づいて、使い捨て可能モジュラーコンポーネント交換時期をユーザに与えることと、
組織の過熱を防止するべくトリートメント継続時間を制限することと、
使い捨て可能エネルギー送達モジュラーコンポーネントの使用時間を制限することと、
使用回数、使用継続時間、及び使用日のような使用データを収集及び格納することと
をさらに含む、請求項１９に記載の方法。
【発明の詳細な説明】
【技術分野】
【０００１】
本方法及び装置は、美容ボディコントワリング（body contouring）デバイスの分野に関する。
【背景技術】
【０００２】
美容ボディシェイピング・トリートメントは通常、臨床設定のプロフェッショナルによる複合的なデバイスの使用を含む。トリートメントの多数の方法は、主に加熱エネルギーからなる様々な形態のエネルギーを、光、高周波（ＲＦ）、超音波、及びマイクロ波、並びにこれらの任意の組み合わせの形態で組織に適用する。
【０００３】
これらの方法は一般に、適用エネルギー源を収容して皮膚にわたり、様々な並進経路パターンに従って並進させるべくアプリケータを使用することを含む。多くの場合、アプリケータの並進は機械的であり、手動又は自動で行われる。さらに、アプリケータの手動並進は一般に、所定のトリートメントプロトコル経路パターンから逸脱しやすく、組織の不均一なトリートメントをもたらしかねない。
【０００４】
被トリートメント組織は一般に、例えば、コラーゲン組織、毛、及び、例えば毛嚢及び皮下脂肪組織のような発毛コンポーネントのような、皮膚及び様々な皮膚層を含む。
【０００５】
特許文献１に開示されるような装置は、形成外科の代替としての臨床設定で使用される、複合的な、かつ、しばしば可動の装置である。特許文献１に開示の装置は、可搬の適合テンプレートを含む。これは、可動であり、主にコラーゲン組織のリモデリングを有効にするべく被トリートメント身体構造物に加熱エネルギーを送達するエネルギー送達デバイスを収容する。
【０００６】
特許文献２はまた、主に三極ＲＦエネルギーを使用するコラーゲン組織のリモデリングのデバイス及び方法を開示する。これは、被トリートメント組織にわたりアプリケータを並進させることにより行われる。
【０００７】
特許文献３は、監督下の臨床設定での美容及び／又は医療の装置を開示する。これは、脂肪分解及びボディコントワリングを目的として超音波エネルギーを使用する。この出願はまた、電気機械デバイスを開示する。これは、音響要素の少なくとも一部を当該カフ上の異なる位置に移動させる。
【先行技術文献】
【特許文献】
【０００８】
【特許文献１】米国特許第６，４７０，２１６号明細書
【特許文献２】米国特許出願公開第２００８／０１８３２５１号明細書
【特許文献３】米国特許出願公開第２００７／０２３９０７７号明細書
【発明の概要】
【０００９】
本方法及び装置は、臨床若しくは専用のプロフェッショナル設定での、対象自身の家というプライバシーでの、又は、快適かつリラックスしたフィットネスルーム、スポーツアクティビティセンター、若しくはスパのような環境での、脂肪低減、痩身、セルライト低減、皮膚引き締め、及び皮膚リジュベネーションのような、ただしこれらに限られない美容ボディコントワリング・トリートメントに使用されるボディコントワリング装置を与える。
【００１０】
本方法及び装置の一実施例によれば、本装置は、オプションとして使い捨て可能の、取り外し可能に取り付けられたエネルギー送達モジュラーコンポーネントを含む。これは、任意の適切な、一般に入手可能な又は専用の身体トリートメントアクセサリに接続された身体収容表面に取り付けられて、美容ボディコントワリング装置に変換される。かかるアクセサリは、例えば、マッサージリクライナのような身体マッサージユニット、ポータブル振動適用クッション、人間の背中サポートベルトのような身体サポートアクセサリ、スポーツ衣料、ウェスト引き締めマッサージベルト、又はトレッドミルを含み及び／又はこれに関連付けられる。本エネルギー送達モジュラーコンポーネントという特徴により、本ボディコントワリング装置が容易にポータブルとされ、非臨床設定における使用に便宜とされる。
【００１１】
本方法及び装置の他実施例では、エネルギー送達モジュラーコンポーネントのアレイによって適用されるＲＦトリートメントにより、トリートメントプロトコルに従う所定経路に沿って進行する組織層における加熱直線領域進行の効果がもたらされる。直線及び／又は回転掃引組織加熱波効果が、アプリケータ、カフ、身体収容表面、及び／又は電極の物理的な又は機械的な移動なしでもたらされる。直線及び／又は回転掃引組織加熱波効果はまた、被トリートメント組織にわたる及びこれのエリアでの、暖かさについての掃引波の感覚を沈静化及び緩和する。
【００１２】
本方法及び装置の他実施例によれば、本装置はまた、一以上のセンサのような安全上の特徴と、プライベートな非臨床設定でのユーザによる本装置の使用を自動的にモニタかつ制御するタイマー及び時間制御ユニットを含むコントローラとを含む。
【００１３】
本方法及び装置のさらなる他実施例によれば、本装置はまた、筋緊張、血液循環、及び脂肪細胞代謝を一時的に増大させる周囲及び周辺の美容トリートメントを適用するべく設計される。これにより、ウェストエリア及び近位肢のような、ただしこれらに限られない周辺エリアのコントワリングが行われる。
【００１４】
本方法及び装置のまたさらなる他実施例によれば、本装置は、侵襲的及び／又は非侵襲的タイプの美容トリートメントを身体に適用する。これは、ＲＦエネルギー、光エネルギー、及び機械エネルギーのような、ただしこれらに限られないエネルギーの形態を含む。
【００１５】
本方法及び装置の他実施例では、エネルギー送達モジュラーコンポーネントは、充電可能及び／又は使い捨て可能な電源によって給電される。
【図面の簡単な説明】
【００１６】
本方法及び装置は、図面と組み合わせて以下の詳細な説明を解釈することにより理解及び認識される。
【００１７】
【図１Ａ】図１Ａ及び１Ｂは、本方法及び装置の複数実施例の簡略的な図である。
【図１Ｂ】図１Ａ及び１Ｂは、本方法及び装置の複数実施例の簡略的な図である。
【図２Ａ】図２Ａ、２Ｂ、及び２Ｃは、図１Ｂの実施例に係る３つの構成の簡略的な図である。
【図２Ｂ】図２Ａ、２Ｂ、及び２Ｃは、図１Ｂの実施例に係る３つの構成の簡略的な図である。
【図２Ｃ】図２Ａ、２Ｂ、及び２Ｃは、図１Ｂの実施例に係る３つの構成の簡略的な図である。
【図３Ａ】図３Ａ、３Ｂ、３Ｃ、３Ｄ、及び３Ｅは、本方法及び装置に係るエネルギー送達モジュラーコンポーネントの複数の実施例及び電極構成の簡略的な平面図及び側面図である。
【図３Ｂ】図３Ａ、３Ｂ、３Ｃ、３Ｄ、及び３Ｅは、本方法及び装置に係るエネルギー送達モジュラーコンポーネントの複数の実施例及び電極構成の簡略的な平面図及び側面図である。
【図３Ｃ】図３Ａ、３Ｂ、３Ｃ、３Ｄ、及び３Ｅは、本方法及び装置に係るエネルギー送達モジュラーコンポーネントの複数の実施例及び電極構成の簡略的な平面図及び側面図である。
【図３Ｄ】図３Ａ、３Ｂ、３Ｃ、３Ｄ、及び３Ｅは、本方法及び装置に係るエネルギー送達モジュラーコンポーネントの複数の実施例及び電極構成の簡略的な平面図及び側面図である。
【図３Ｅ】図３Ａ、３Ｂ、３Ｃ、３Ｄ、及び３Ｅは、本方法及び装置に係るエネルギー送達モジュラーコンポーネントの複数の実施例及び電極構成の簡略的な平面図及び側面図である。
【図４】図４は、本方法及び装置の他実施例に係るユーザインターフェイスの簡略的な図である。
【図５Ａ】図５Ａ、５Ｂ、５Ｃ、５Ｄ、及び５Ｅは、本方法及び装置の一実施例に係る直線掃引加熱波効果の生成を示す簡略的な平面図及び断面図である。
【図５Ｂ】図５Ａ、５Ｂ、５Ｃ、５Ｄ、及び５Ｅは、本方法及び装置の一実施例に係る直線掃引加熱波効果の生成を示す簡略的な平面図及び断面図である。
【図５Ｃ】図５Ａ、５Ｂ、５Ｃ、５Ｄ、及び５Ｅは、本方法及び装置の一実施例に係る直線掃引加熱波効果の生成を示す簡略的な平面図及び断面図である。
【図５Ｄ】図５Ａ、５Ｂ、５Ｃ、５Ｄ、及び５Ｅは、本方法及び装置の一実施例に係る直線掃引加熱波効果の生成を示す簡略的な平面図及び断面図である。
【図５Ｅ】図５Ａ、５Ｂ、５Ｃ、５Ｄ、及び５Ｅは、本方法及び装置の一実施例に係る直線掃引加熱波効果の生成を示す簡略的な平面図及び断面図である。
【図６Ａ】図６Ａから６Ｊは、本方法及び装置に係る図５Ａから５Ｅの直線掃引波効果のいくつかの構成を示す簡略的な平面図である。
【図６Ｂ】図６Ａから６Ｊは、本方法及び装置に係る図５Ａから５Ｅの直線掃引波効果のいくつかの構成を示す簡略的な平面図である。
【図６Ｃ】図６Ａから６Ｊは、本方法及び装置に係る図５Ａから５Ｅの直線掃引波効果のいくつかの構成を示す簡略的な平面図である。
【図６Ｄ】図６Ａから６Ｊは、本方法及び装置に係る図５Ａから５Ｅの直線掃引波効果のいくつかの構成を示す簡略的な平面図である。
【図６Ｅ】図６Ａから６Ｊは、本方法及び装置に係る図５Ａから５Ｅの直線掃引波効果のいくつかの構成を示す簡略的な平面図である。
【図６Ｆ】図６Ａから６Ｊは、本方法及び装置に係る図５Ａから５Ｅの直線掃引波効果のいくつかの構成を示す簡略的な平面図である。
【図６Ｇ】図６Ａから６Ｊは、本方法及び装置に係る図５Ａから５Ｅの直線掃引波効果のいくつかの構成を示す簡略的な平面図である。
【図６Ｈ】図６Ａから６Ｊは、本方法及び装置に係る図５Ａから５Ｅの直線掃引波効果のいくつかの構成を示す簡略的な平面図である。
【図６Ｉ】図６Ａから６Ｊは、本方法及び装置に係る図５Ａから５Ｅの直線掃引波効果のいくつかの構成を示す簡略的な平面図である。
【図６Ｊ】図６Ａから６Ｊは、本方法及び装置に係る図５Ａから５Ｅの直線掃引波効果のいくつかの構成を示す簡略的な平面図である。
【図７Ａ】図７Ａから７Ｅは、本方法及び装置の一実施例に係る周囲回転加熱波効果の生成を示す簡略的な平面図である。
【図７Ｂ】図７Ａから７Ｅは、本方法及び装置の一実施例に係る周囲回転加熱波効果の生成を示す簡略的な平面図である。
【図７Ｃ】図７Ａから７Ｅは、本方法及び装置の一実施例に係る周囲回転加熱波効果の生成を示す簡略的な平面図である。
【図７Ｄ】図７Ａから７Ｅは、本方法及び装置の一実施例に係る周囲回転加熱波効果の生成を示す簡略的な平面図である。
【図７Ｅ】図７Ａから７Ｅは、本方法及び装置の一実施例に係る周囲回転加熱波効果の生成を示す簡略的な平面図である。
【図８Ａ】図８Ａから８Ｃは、本方法及び装置の一実施例に係るエネルギー送達モジュラーコンポーネントのＲＦ電極アレイにわたる直線掃引加熱波効果の生成を示す簡略的な平面図である。
【図８Ｂ】図８Ａから８Ｃは、本方法及び装置の一実施例に係るエネルギー送達モジュラーコンポーネントのＲＦ電極アレイにわたる直線掃引加熱波効果の生成を示す簡略的な平面図である。
【図８Ｃ】図８Ａから８Ｃは、本方法及び装置の一実施例に係るエネルギー送達モジュラーコンポーネントのＲＦ電極アレイにわたる直線掃引加熱波効果の生成を示す簡略的な平面図である。
【図９Ａ】図９Ａから９Ｄは、本方法及び装置の一実施例に係るエネルギー送達モジュラーコンポーネントのアレイにより生成される直線掃引組織加熱波効果を簡略的に示す。
【図９Ｂ】図９Ａから９Ｄは、本方法及び装置の一実施例に係るエネルギー送達モジュラーコンポーネントのアレイにより生成される直線掃引組織加熱波効果を簡略的に示す。
【図９Ｃ】図９Ａから９Ｄは、本方法及び装置の一実施例に係るエネルギー送達モジュラーコンポーネントのアレイにより生成される直線掃引組織加熱波効果を簡略的に示す。
【図９Ｄ】図９Ａから９Ｄは、本方法及び装置の一実施例に係るエネルギー送達モジュラーコンポーネントのアレイにより生成される直線掃引組織加熱波効果を簡略的に示す。
【図１０Ａ】図１０Ａから１０Ｅは、本方法及び装置に係るエネルギー送達モジュラーコンポーネントのアレイにわたる直線掃引波効果のいくつかの構成を示す簡略的な平面図である。
【図１０Ｂ】図１０Ａから１０Ｅは、本方法及び装置に係るエネルギー送達モジュラーコンポーネントのアレイにわたる直線掃引波効果のいくつかの構成を示す簡略的な平面図である。
【図１０Ｃ】図１０Ａから１０Ｅは、本方法及び装置に係るエネルギー送達モジュラーコンポーネントのアレイにわたる直線掃引波効果のいくつかの構成を示す簡略的な平面図である。
【図１０Ｄ】図１０Ａから１０Ｅは、本方法及び装置に係るエネルギー送達モジュラーコンポーネントのアレイにわたる直線掃引波効果のいくつかの構成を示す簡略的な平面図である。
【図１０Ｅ】図１０Ａから１０Ｅは、本方法及び装置に係るエネルギー送達モジュラーコンポーネントのアレイにわたる直線掃引波効果のいくつかの構成を示す簡略的な平面図である。
【発明を実施するための形態】
【００１８】
本開示の目的として、以下で使用される用語「カフ」は、肢又は胴のような身体部分の周囲を部分的に又は全体的に取り囲むべく動作可能なベルト状のバンドを意味する。
【００１９】
ここで図１Ａ及び１Ｂを参照すると、本方法及び装置の複数実施例が簡略的に示される。図１Ａは、身体収容表面１０２と、これに一体的に取り付けられた一以上のエネルギー送達モジュラーコンポーネント１０４とを有するシート１００を示す。代替的に、身体収容表面１０２は、取り外し可能な取り付けシステム（例えば、３Ｍスコッチ（登録商標）のフック・ループテープ）又は取り付けクリップを使用して、一以上のエネルギー送達モジュラーコンポーネント１０４と独立して又は一緒に、マッサージリクライナのような１つの家具に取り外し可能に取り付けられる。
【００２０】
エネルギー送達モジュラーコンポーネント１０４は交換可能及び／又は使い捨て可能であり、ＥＣＧスナップタイプコネクタ、極細径同軸（miniature coaxial（ＭＣ））タイプＲＦコネクタ、又は任意の適切な取り外し可能コネクタのような取り外し可能コネクタによって身体収容表面１０２に取り付けられる。
【００２１】
身体収容表面１０２は、モジュラーコンポーネント１０４と通信する電源１０６を含むか又はこれに接続される。電源１０６は、ＲＦエネルギー源であり及び／又はこれを含む。オプションとして及び代替的に、各モジュラーコンポーネント１０４が、ＲＦエネルギー源であり及び／又はこれを含む電源（図示せず）に独立して接続される。モジュラーコンポーネント１０４に給電する電源は充電可能又は使い捨て可能である。
【００２２】
身体収容表面１０２はまた、使い捨て可能な有窓シート（図示せず）を含む。これは、紙、織物、及び／若しくは布地、又は薄プラスチックシートから作られて各トリートメントセッションの後に交換される。使い捨て可能有窓シートの開窓は、被トリートメント身体部分の表面とエネルギー送達モジュラーコンポーネント１０４との接触を可能とするべくエネルギー送達モジュラーコンポーネント１０４の位置と重なる。
【００２３】
エネルギー送達モジュラーコンポーネント１０４は、最小限に侵襲的及び／又は非侵襲的タイプの美容トリートメントを身体に適用するべく動作可能である。これは、ＲＦエネルギー、光エネルギー、及び機械エネルギーのような、ただしこれらに限られないエネルギーの形態を含む。これらは以下に詳述される。
【００２４】
オプションとして、エネルギー送達モジュラーコンポーネント１０４はまた、被トリートメント組織に振動エネルギーを送達する一以上の機械エネルギー送達素子１０８を含む。機械エネルギー素子１０８は、例えば振動ボールを含む。これは、被トリートメント局所エリアにおいて筋緊張、血液循環、及び脂肪組織代謝を一時的に増大させる。
【００２５】
オプションとして、身体収容表面１０２はまた、被トリートメント組織に振動エネルギーを送達する一以上の機械エネルギー送達素子１０８を含む。
【００２６】
モジュラーコンポーネント１０４は、コントローラ１１２に接続されてこれと通信する。コントローラ１１２は、タイマー及び時間制御・カウンターユニットを含み、モジュラーコンポーネント１０４、身体収容表面１０２、及び電源１０６を制御するべく動作可能である。
【００２７】
モジュラーコンポーネント１０４はまた、温度センサ、圧力センサ、及びインピーダンスセンサからなる群から選択される一以上のセンサ１１０を含む。オプションとして、身体収容表面１０２はまた、一以上のセンサ１１０を含む。
【００２８】
センサ１１０は、コントローラ１１２にフィードバックを与える。当該フィードバックは、温度、圧力、及び組織インピーダンスからなる群から選択される一以上のトリートメントパラメータからなる。コントローラ１１２タイマーは、コントローラ１１２に時間情報の入力を与える。コントローラ１１２はまた、所定の美容トリートメントプロトコルに従って当該タイマーをアクティブに又はリセットするべく動作可能である。
【００２９】
センサ１１０から受け取ったトリートメントパラメータ及び当該タイマーから受け取った時間情報に基づいて、及び所定の美容トリートメントプロトコルに応じて、コントローラ１１２は、以下の一以上の機能を実行するべく動作可能である：ＲＦ電圧及び周波数のような美容トリートメントパラメータの調整、トリートメント適用の終了及び再開、並びにトリートメントパラメータ及びトリートメント継続時間に関する情報についてのユーザへの警告。
【００３０】
コントローラ１１２時間制御・カウンターユニットは、当該タイマー、及びモジュラーコンポーネント１０４に配置されたＲＦＩＤ、並びに／又は身体収容表面１０２から、時間情報入力を受け取るべく動作可能である。これにより、所定のトリートメントプロトコルに応じて時間に関連する機能がモニタ及び制御される。かかる機能は、組織の過熱を防止するべくトリートメント継続時間を制限すること、使用時間を制限し、及び／又は、所定の使用回数若しくは最大許容継続使用の後の、使い捨て可能モジュラーコンポーネント１０４の交換時期警告を与えること、並びに、使用回数、使用継続時間、及び使用日のような使用データをコントローラ１１２に与えることを含む。コントローラ１１２は、時間制御・カウンターユニットから受け取った情報をデータベースに格納するべく動作可能である。
【００３１】
コントローラ１１２はまた、遠隔通信してインターネットから美容トリートメントプロトコル及びトリートメントパラメータ設定に関する情報を受け取り、受け取った情報に応じて美容トリートメントパラメータを調整するべく動作可能である。
【００３２】
図１Ｂは、本方法及び装置の他実施例を示す。身体収容表面１１４がウェストカフ１２０の一部に一体的に取り付けられる。代替的に、身体収容表面１１４は、取り外し可能取り付けシステム層（例えば、３Ｍスコッチ（登録商標）のフック・ループテープ）又は取り付けクリップを使用して、ウェストカフ１２０に取り外し可能に取り付けられる。モジュラーコンポーネント１０４はコントローラ１１２に接続されて上述のようにこれと通信する。
【００３３】
オプションとして、一以上の機械エネルギー素子１０８はまた、ウェストカフ１２０の一以上のモジュラーコンポーネント１０４及び／又は身体収容表面１１４に配置される。ウェストカフ１２０はまた、モジュラーコンポーネント１０４に給電する電源１０６を含む。電源は、スタンドアロンのユニット／モジュールであるか、又は、当該カフに又はカフを使用する人の肢に取り付けられるパウチで携行される。
【００３４】
エネルギー送達モジュラーコンポーネント１０４は、独立して又はカフ１２０及び身体収容表面１０２に関連して、ポータブルのボディコントワリング装置を構成する。当該ポータブルのボディコントワリング装置は、例えば適切なキャリングケースで携行されて、非臨床環境において使用されるべく、並びに、オプションとして、例えばフィットネストレーニングマシン及びトレッドミルのような家、スパ、及びフィットネスルームの家具及びアクセサリでの一般的な使用に関連して使用されるべく動作可能である。
【００３５】
ここで図２Ａ、２Ｂ、及び２Ｃを参照すると、図１Ｂの実施例の３つのアプリケーション構成が簡略的に示される。図２Ａは、ウェスト及び腹部エリアの美容周囲トリートメントにおけるウェストカフ１２０の使用を示す。このエリアの美容トリートメントは、脂肪低減、ウェストエリア痩身、セルライト低減、皮膚引き締め、及び皮膚リジュベネーションに寄与する。
【００３６】
カフ１２０はまた、図２Ｂに示す脚の近位部分のような肢の近位部分及び／又は図２Ｃに示す腕の近位部分の美容周囲トリートメントのためのアプリケーション構成において使用されるように調整されて、脂肪低減、肢の痩身、並びに、皮膚引き締め及び皮膚リジュベネーションのようなたるんだ皮膚のトリートメントに寄与する。
【００３７】
ここで図３Ａ、３Ｂ、３Ｃ、３Ｄ、及び３Ｅを参照すると、本方法及び装置に係るエネルギー送達モジュラーコンポーネント１０４の電極構成の実施例について簡略的な平面図及び断面図が示される。図３Ａに示すように、エネルギー送達モジュラーコンポーネント１０４は、キャリア３００とこれに取り付けられた一以上のＲＦ電極３０２とを含む。キャリア３００は、剛性の、半剛性の、又は可撓性の材料から作られ、柔らかい織物があてられる。ＲＦ電極３０２はコントローラ１１２（図１）と通信し、コネクタ３０４を介してモジュラーコンポーネント１０４に接続された電源１０６から給電される。代替的に、エネルギー送達モジュラーコンポーネント１０４は、コネクタ３０４を介して間接的に身体収容表面１０２を通る電源１０６に接続される。
【００３８】
モジュラーコンポーネント１０４はまた、コントローラ１１２（図１）と通信するべく動作可能な温度センサ、圧力センサ、及びインピーダンスセンサからなる群から選択される一以上のセンサ１１０を含む。コントローラ１１２は、センサ１１０から受け取った情報をデータベースに格納してＲＦ電極３０２を制御するべく動作可能である。キャリア３００はまた、剛性又は可撓性のプリント回路基板（ＰＣＢ）を含む。これは、ＲＦ電極３０２、コネクタ３０４、及びセンサ１０６のようなモジュラーコンポーネント１０４要素間のすべての電気通信配線を収容する。
【００３９】
エネルギー送達モジュラーコンポーネント１０４及び／又は身体収容表面１０２はまた、その使用を制御かつ制限するべくＲＦＩＤ（図示せず）のようなユーザ識別性能を含む。例えば、使い捨て可能コンポーネントの使用が、同じ使い捨てコンポーネントの繰り返し使用を防ぐ態様でＲＦＩＤに記録される。
【００４０】
ＲＦトリートメントエネルギーが一極、二極、及び多極モードで適用され、これに応じて電極３０２が構成される。ＲＦ電極３０２はまた、１Ｗから４０Ｗの範囲であるがこれに限られないパワーレベルにおけるパルス又は連続形態でＲＦエネルギーを適用するべく動作可能である。一般には、低いＲＦパワー設定が非臨床美容トリートメントアプリケーションで適用される一方、高いＲＦパワー設定がプロフェッショナルの監督下又は臨床美容トリートメントアプリケーションで適用される。例えば、非臨床美容トリートメントアプリケーション用のＲＦパワー設定は、１Ｗから２０Ｗの範囲であるがこれに限られないのが一般的であり、７Ｗから１５Ｗの範囲であるがこれに限られないのがさらに一般的である。プロフェッショナルの監督下又は美容臨床トリートメントアプリケーション用のＲＦパワー設定は、１８Ｗから４０Ｗの範囲であるがこれに限られないのが一般的であり、２５Ｗから３５Ｗの範囲であるがこれに限られないのがさらに一般的である。電極３０２により生成されたＲＦエネルギーが、脂肪低減、痩身、セルライト低減、皮膚引き締め、及び皮膚リジュベネーションからなる群から選択される一以上の美容トリートメントを適用するべく、並びに、血液循環及び脂肪細胞代謝を増大させて身体のコントワリングをするべく使用される。
【００４１】
図３Ａに示す構成は、モジュラーコンポーネント１０４の電極３０２の多極構成である。この構成における温度センサ３１０はサーミスタである。これは、ＲＦ美容トリートメントの適用中に組織温度をモニタするべく動作可能である。代替的に、センサ３１０は、コントローラ１１２と通信してモジュラーコンポーネント１０４電極３０２と被トリートメント組織表面との接触又は接触欠如に関する情報を伝えるべく動作可能な圧力センサである。コントローラ１１２は、一以上のモジュラーコンポーネント１０４電極３０２をアクティブ又はディアクティブにするか、又はセンサ１１０からの入力に応じて美容トリートメントパラメータを調整する。
【００４２】
本方法及び装置の他実施例によれば、図３Ｂに示すように、モジュラーコンポーネント１０４は二極構成の電極３０２を含む。サーミスタのような温度センサ１１０が、電極３０２の各ペアの間に配置される。これは、ＲＦ美容トリートメントの適用中に組織温度をモニタするべく動作可能である。この実施例では、モジュラーコンポーネント１０４はまた、一以上の機械エネルギー送達素子１０８と、上述のような、モジュラーコンポーネント１０４電極３０２と被トリートメント組織表面との接触又は接触欠如をモニタするセンサ３１０とを含む。
【００４３】
ここで図３Ｃを参照すると、本方法及び装置に係るエネルギー送達モジュラーコンポーネント１０４の他実施例が示される。この実施例では、キャリア３００はまた、被トリートメント組織のセグメントを加熱するべく可視及び赤外（ＩＲ）範囲の光を放出するべく動作可能な発光素子３０６を含む。この実施例では、センサ３１０はサーミスタである。光源３０６とセンサ３１０の双方は、コントローラ１１２及び電源１０６と通信するべく動作可能である。オプションとして、発光素子３０６はＬＥＤタイプの光源である。
【００４４】
本方法及び装置のさらなる他実施例によれば、図３Ｄに示すように、ＲＦ電極３０２はまた、一以上の適用素子キャリア３２０を含む。これは、その一表面に複数のＲＦ電圧適用素子３２２を、本明細書に参照として組み入れられる譲受人の国際公開第ＷＯ２００９／０７２１０８号明細書に記載されている離間パターンで有する。代替的に、適用素子３２２は、ＬＥＤ、ＶＣＳＥＬ、レーザダイオード等のような発光素子である。
【００４５】
本方法及び装置のまたさらなる他実施例によれば、ＲＦ電極３０２は、複数の離間した突出導電素子（図示せず）を含む。これらは、複数の別個のかつ離れた位置において皮膚表面と接触して、例えば表皮のような皮膚の層に浸透するべく構成される。これは譲受人の米国特許出願第２００６／００４７２８１号明細書に記載され、その開示は本明細書に参照として組み入れられる。
【００４６】
ここで図３Ｅを参照すると、矢印Ｘで示す方向から見た図３Ａのエネルギー送達モジュラーコンポーネント１０４の他実施例の簡略的な側面図が示される。キャリア３００は、エネルギー送達表面３１２に取り付けられた一以上の電極３０２を含む。表面３１２と反対側の取り付け表面３１４は、一以上のＥＣＧスナップタイプのコネクタ３０４を含む。これは、身体収容表面１０２上の対応するＥＣＧスナップタイプのコネクタレセプタクルに容易に接続可能である。コネクタ３０４取り付け表面３１４はまた、取り外し可能取り付けシステム層３２４（例えば、３Ｍスコッチ（登録商標）のフック・ループテープ）又は取り付けクリップで被覆される。モジュラーコンポーネント１０４はまたセンサ３１０を含む。これは、コネクタ３０４を介してコントローラ１１２（図１）と通信するべく動作可能なエネルギー送達表面３１２に取り付けられる。
【００４７】
ここで図４を参照すると、本方法及び装置の他実施例に係るユーザインターフェイス４００の簡略的な図が示される。ユーザインターフェイス４００はモニタ４０２を含む。これは例えば、タッチスクリーンモニタ、アクションボタン４０４、インジケータ４０６である。
【００４８】
ユーザはインターフェイス４００を使用して、複数のトリートメントプロトコルから所定の選択肢を選択し及びトリートメントセッションを開始又は終了させる。
【００４９】
ユーザインターフェイス４００モニタ４０２はまた、トリートメントパラメータ、格納されたユーザ情報、好み及び設定、並びに以前のトリートメントセッションから受け取られかつ格納されたデータのような、コントローラ１１２（図１）データベースから取得した情報をユーザに提示する。
【００５０】
ユーザインターフェイスは、コネクタ３０４を介して直接的に又はワイヤレス通信によりコントローラ１１２と通信する。
【００５１】
ユーザインターフェイス４００はまた、トリートメント開始及び終了の合図のような様々な聴覚信号を鳴らし、及びトリートメントパラメータからの逸脱を示す警告をするべく動作可能である。可聴信号の生成は、所定のトリートメントプロトコルに応じてコントローラ１１２により制御される。
【００５２】
ここで図５Ａ−５Ｅを参照すると、本方法及び装置の一実施例に係る、直線掃引加熱波効果を生成するＲＦ電極の簡略的な平面図及び断面図が示される。図５Ａ、５Ｂ、５Ｃ、５Ｄ、及び５Ｅはそれぞれ、軸Ｘ−Ｘに沿った断面図を伴う。図３Ｄに示すタイプの電極３０２は、キャリア３２０と、離間パターンの複数のＲＦ電圧適用素子３２２とを含む。図５Ａでは、素子３２２は、行（ａ−ｆ）及び列（ａ’−ｆ’）に沿ったアレイに配列される。
【００５３】
コントローラ１１２（図１）は、所定のトリートメントプロトコルに応じてＲＦ電極３０４の個々の素子３２２をアクティブ及びディアクティブにするべく動作可能である。
【００５４】
図５Ａに示すように、行（ａ）及び（ｂ）の素子３２２の黒塗りで示された行（ａ）及び（ｂ）のみがコントローラ１１２によりアクティブにされる。ＲＦ電流が、行（ａ）の素子３２２から被トリートメント組織を通って行（ｂ）の素子３２２に流れ、その間にあって平行をなす、キャリア３００上のエリア３２８ａに対応する組織層３２６の直線領域３２４ａを加熱する。
【００５５】
図５Ｂに示すように、今度は行（ａ）がインアクティブにされて行（ｂ）及び（ｃ）がアクティブにされる。このときＲＦ電流は、行（ｂ）の素子３２２から被トリートメント組織を通って行（ｃ）の素子３２２に流れる。組織層３２６の加熱された直線領域３２４ａはこのとき冷却され、今度はキャリア３００上のエリア３２８ｂに対応する隣接した直線領域３２４ｂが加熱される。
【００５６】
図５Ｃにおいて、今度は行（ａ）及び（ｂ）がインアクティブにされて行（ｃ）及び（ｄ）のみがアクティブにされる。このときＲＦ電流は、行（ｃ）の素子３２２から被トリートメント組織を通って行（ｄ）の素子３２２に流れる。組織層３２６の加熱された直線領域３２４ｂはこのとき冷却され、今度はキャリア３００上のエリア３２８ｃに対応する隣接した直線領域３２４ｃが加熱される。
【００５７】
図５Ｄに示すように、今度は行（ａ）、（ｂ）、及び（ｃ）がインアクティブにされて行（ｄ）及び（ｅ）のみがアクティブにされる。このときＲＦ電流は、行（ｄ）の素子３２２から被トリートメント組織を通って行（ｅ）の素子３２２に流れる。組織層３２６の加熱された直線領域３２４ｃはこのとき冷却され、今度はキャリア３００上のエリア３２８ｄに対応する隣接した直線領域３２４ｄが加熱される。
【００５８】
図５Ｅにおいて、今度は行（ａ）、（ｂ）、（ｃ）、及び（ｄ）がインアクティブにされて行（ｅ）及び（ｆ）のみがアクティブにされる。このときＲＦ電流は、行（ｅ）の素子３２２から被トリートメント組織を通って行（ｆ）の素子３２２に流れる。組織層３２６の加熱された直線領域３２４ｄはこのとき冷却され、今度はキャリア３００上のエリア３２８ｅに対応する隣接した直線領域３２４ｅが加熱される。
【００５９】
ＲＦトリートメントにより、組織層３２６の加熱された直線領域３２４の進行の効果がもたらされる。これは、参照番号５００が付された矢印で示される方向の、トリートメントプロトコルに応じた所定経路に沿って進行して、例えばカフ１２０又は電極３０２の物理的又は機械的な移動なしで直線掃引組織加熱波効果を生じさせる。
【００６０】
以下に述べる掃引組織加熱波効果のすべての進行方向は、図面の平面に関して与えられる。なお、本装置は、いずれかの特定平面に限られず、任意の配向で動作可能である。
【００６１】
ここで図６Ａから６Ｆを参照すると、本方法及び装置に係る図５Ａから５Ｅの直線掃引波効果のいくつかの構成が示される。図６Ａは、水平直線掃引組織加熱波効果を示す。これは、矢印６００で示す方向において行（ａ）から行（ｆ）への垂直方向に移動する対応エリア３２８により組織層（図示せず）にもたらされ、以下に詳述される。この効果は、例えば行（ａ）から（ｆ）、（ａ）から（ｆ）、（ａ）から（ｆ）等の一方向に、又は、例えば行（ａ）から（ｆ）、（ｆ）から（ａ）、（ａ）から（ｆ）、（ｆ）から（ａ）等の二方向に繰り返し進行する。
【００６２】
図６Ｂは、垂直直線掃引組織加熱波効果を示す。これは、矢印６００で示す方向において列（ａ’）から列（ｆ’）への水平方向に移動する対応エリア３２８により組織層（図示せず）にもたらされる。この効果は、例えば列（ａ’）から（ｆ’）、（ａ’）から（ｆ’）、（ａ’）から（ｆ’）等の一方向に、又は例えば列（ａ’）から（ｆ’）、（ｆ’）から（ａ’）、（ａ’）から（ｆ’）、（ｆ’）から（ａ’）等の二方向に繰り返す。
【００６３】
図６Ｃから６Ｅは、対角直線掃引組織加熱波効果を示す。これは、矢印６００で示す方向において角Ｗから角Ｚへの対角方向に移動する対応エリア３２８により組織層（図示せず）にもたらされる。この効果は、例えばＷからＺ、ＷからＺ、ＷからＺ等の一方向に、例えばＷからＺ、ＺからＷ、ＷからＺ、ＺからＷ等の二方向に、又は、例えば角Ｗ、Ｘ、Ｙ、及びＺ間、ＷからＺ、ＸからＹ、ＷからＺ、ＸからＹ等の十字パターンに繰り返される。
【００６４】
図６Ｆに示すように、対応エリア３２８により組織層（図示せず）にもたらされた対角直線掃引組織加熱波効果は、参照番号６０２で示す仮想点まわりに旋回する振り子進行パターンで、矢印６００で示す前後方向に移動する。
【００６５】
図６Ｇから６Ｊに示すように、ＲＦ電極３０２はまた、回転加熱掃引波効果をもたらす。これは、参照番号６０２で示す仮想点まわりに旋回し、矢印６００で示す円方向において対応エリア３２８により組織層にもたらされる。図６Ｇ、６Ｈ、６Ｉ、及び６Ｊは、かかる回転加熱掃引波効果を、かかる回転効果の４つの選択された段階で示す。掃引波効果により、従来の電極よりも実質的に大きな組織セグメントに対する熱適用が可能となる。
【００６６】
ここで図７Ａから７Ｅを参照すると、本方法及び装置の一実施例に係る周囲回転加熱波効果を生成するＲＦ電極３０２の簡略的な平面図が示される。図３Ｄに示すタイプの電極３０２は、キャリア３２０と、離間パターンの複数のＲＦ電圧適用素子３２２とを含む。図７Ａに示すように、外周沿いの素子３２２の４つのペア７０２、７０４、７０６、及び７０８、例えば行（ａ）及び（ｆ）並びに列（ａ’）及び（ｆ’）がコントローラ１１２（図１）によりアクティブにされる。これらは黒塗りで示される。
【００６７】
図７Ｂは、周囲沿いの各ペア７０２、７０４、７０６、及び７０８の位置の時計方向におけるシフトを示す。
【００６８】
図７Ｃは、周囲沿いの各ペア７０２、７０４、７０６、及び７０８の位置の、矢印７００で示す時計方向における他のシフトを示す。
【００６９】
図７Ｄは、周囲沿いの各ペア７０２、７０４、７０６、及び７０８の位置の、時計方向におけるさらなる他のシフトを示す。
【００７０】
図７Ｅに示す段階では、連続シフトにより、矢印７００で示す時計方向における組織加熱波の１８０度の周囲回転がもたらされる。
【００７１】
ここで図８Ａから８Ｃを参照すると、本方法及び装置の一実施例に係るエネルギー送達モジュラーコンポーネント１０４を横切る、図３Ｄに示すタイプのＲＦ電極３０２による直線掃引加熱波効果の生成が平面図で示される。図８Ａ−８Ｃでは、９つの電極３０２が３行及び３列（ａ）、（ｂ）、及び（ｃ）のアレイで配列される。図８Ａにおいて、列（ａ）のコンポーネント１０４の電極３０２のみがアクティブにされて３つの垂直直線掃引組織加熱波効果がもたらされる。これらは、対応エリア８２８により組織層（図示せず）にもたらされる。なお、エリア８２８に対応する組織におけるエリアは熱対流に起因して径方向に拡張し、隣接する加熱エリアが合体してエリア８３０に対応する直線加熱組織エリアがもたらされる。上で詳述したようにコンポーネント１０４電極３０２をアクティブにすることで、矢印８００で示す方向において列（ａ）から列（ｃ）への水平方向に移動する垂直直線掃引組織加熱波効果８３０がもたらされる。
【００７２】
図８Ｂでは、列（ａ）のコンポーネント１０４がインアクティブにされて列（ａ）のコンポーネント１０４の電極３０２のみがアクティブにされる。図８Ｃでは、列（ｂ）のコンポーネント１０４がインアクティブにされて列（ｃ）のコンポーネント１０４の電極３０２のみがアクティブにされる。この逐次プロセスにより、垂直直線掃引組織加熱波効果がもたらされる。これは、矢印８００で示す方向において列（ａ）から列（ｃ）への水平方向に移動する対応エリア８２８により、組織層（図示せず）にもたらされる。
【００７３】
ここで図９Ａから９Ｄを参照すると、本方法及び装置の一実施例に係る、図３Ｄに示すタイプのエネルギー送達モジュラーコンポーネント１０４のアレイによりもたらされる直線掃引組織加熱波効果が簡略的に示される。図９Ａに示すように、複数のエネルギー送達モジュラーコンポーネント１０４が身体収容表面１０２に取り付けられる。上述のように、エネルギー送達モジュラーコンポーネント１０４が電源１０６に接続されて給電を受け、コントローラ１１２により制御される。エネルギー送達モジュラーコンポーネント１０４ａ、１０４ｂ、１０４ｃ、１０４ｄ、１０４ｅ、１０４ｆ、１０４ｇ、及び１０４ｈは二重線アレイに配置される。
【００７４】
図９Ａでは、モジュラーコンポーネント１０４ａ及び１０４ｅのみがアクティブにされ、これに接触する組織の、モジュラーコンポーネント１０４ａ及び１０４ｅ上のエリア９３０に対応する直線領域が、上で詳述した直線態様でかつ矢印９００で示す方向に加熱される。
【００７５】
図９Ｂに示すように、今度はコンポーネント１０４ａ及び１０４ｅがインアクティブにされてコンポーネント１０４ｂ及び１０４ｆのみがアクティブにされ、これに接触する組織が、上述した直線態様で、矢印９００で示す方向において加熱される。
【００７６】
図９Ｃにおいて、今度はコンポーネント１０４ｂ及び１０４ｆがインアクティブにされてコンポーネント１０４ｃ及び１０４ｇのみがアクティブにされ、これに接触する組織が、上述した直線態様で、矢印９００で示す方向において加熱される。
【００７７】
図９Ｄにおいて、今度はコンポーネント１０４ｃ及び１０４ｇがインアクティブにされてコンポーネント１０４ｄ及び１０４ｈのみがアクティブにされ、これに接触する組織が、上述した直線態様で、矢印９００で示す方向において加熱される。
【００７８】
これにより、垂直直線掃引組織加熱波効果がもたらされる。これは、矢印９００で示す方向において被トリートメント組織に沿った水平方向に移動する。なお、垂直直線掃引組織加熱波効果はまた、上述のいずれのタイプのモジュラーコンポーネントによってももたらされ得る。
【００７９】
ここで図１０Ａから１０Ｅを参照すると、本方法及び装置の一実施例に係る身体収容表面１０２に取り付けられたエネルギー送達モジュラーコンポーネント１０４のアレイによりもたらされる直線及び回転掃引組織加熱波効果の複数の構成が示される。図１０Ａ及び１０Ｂは、水平直線掃引組織加熱波効果を示す。これは、コンポーネント１０４ａ、１０４ｂ、１０４ｃ、及び１０４ｄから対応するコンポーネント１０４ｅ、１０４ｆ、１０４ｇ、及び１０４ｈに向かって垂直方向に移動する。水平直線掃引組織加熱波効果は、上述の図６Ａに詳細示す一方向又は二方向で繰り返される。
【００８０】
図１０Ｃに示すように、２つの水平直線掃引組織加熱波効果は、破線Ｘで示す仮想中心軸から離れる垂直方向に移動する。図１０Ｄは、２つの水平直線掃引組織加熱波効果を示す。これは、破線Ｘで示す仮想中心軸に向かう垂直方向に移動する。
【００８１】
図１０Ｅは、身体収容表面１０２の周囲に沿って時計方向に進行する直線掃引組織加熱波効果の構成を示す。
【００８２】
上述の構成のいずれもまた、上述の及び図１０Ｆに示す回転掃引組織加熱波効果を使用できる。上述の構成のすべては、所定のトリートメントプロトコル、センサ１１０からのトリートメントパラメータの入力、タイマー、及び時間制御・カウンターユニットに応じてコントローラ１１２により制御され、及び／又はインターフェイス４００を使用して手動により構成される。
【００８３】
上述のＲＦトリートメントにより、組織層の加熱直線領域の進行効果がもたらされる。これは、参照番号１０００が付された矢印で示す方向においてトリートメントプロトコルに応じた所定経路に沿って進行し、例えばカフ１２０、身体収容表面１０２、及び／又は電極３０２の物理的又は機械的な移動なしで大きな組織セグメントを加熱する直線及び回転掃引組織加熱波効果をもたらす。
【００８４】
当業者には本方法及び装置が具体的に図示され上述されたものに限られないことがわかる。むしろ、本発明の範囲は、上述の様々な特徴のコンビネーション及びサブコンビネーションの双方並びにその修正例及び変形例を含む。これらは、上述の記載を読むことで当業者に想起され、かつ、従来技術には存在しない。
【図１Ａ】
2013520270.tif 000003
【図１Ｂ】
2013520270.tif 000004
【図２Ａ】
2013520270.tif 000005
【図２Ｂ】
2013520270.tif 000006
【図２Ｃ】
2013520270.tif 000007
【図３Ａ】
2013520270.tif 000008
【図３Ｂ】
2013520270.tif 000009
【図３Ｃ】
2013520270.tif 000010
【図３Ｄ】
2013520270.tif 000011
【図３Ｅ】
2013520270.tif 000012
【図４】
2013520270.tif 000013
【図５Ａ】
2013520270.tif 000014
【図５Ｂ】
2013520270.tif 000015
【図５Ｃ】
2013520270.tif 000016
【図５Ｄ】
2013520270.tif 000017
【図５Ｅ】
2013520270.tif 000018
【図６Ａ】
2013520270.tif 000019
【図６Ｂ】
2013520270.tif 000020
【図６Ｃ】
2013520270.tif 000021
【図６Ｄ】
2013520270.tif 000022
【図６Ｅ】
2013520270.tif 000023
【図６Ｆ】
2013520270.tif 000024
【図６Ｇ】
2013520270.tif 000025
【図６Ｈ】
2013520270.tif 000026
【図６Ｉ】
2013520270.tif 000027
【図６Ｊ】
2013520270.tif 000028
【図７Ａ】
2013520270.tif 000029
【図７Ｂ】
2013520270.tif 000030
【図７Ｃ】
2013520270.tif 000031
【図７Ｄ】
2013520270.tif 000032
【図７Ｅ】
2013520270.tif 000033
【図８Ａ】
2013520270.tif 000034
【図８Ｂ】
2013520270.tif 000035
【図８Ｃ】
2013520270.tif 000036
【図９Ａ】
2013520270.tif 000037
【図９Ｂ】
2013520270.tif 000038
【図９Ｃ】
2013520270.tif 000039
【図９Ｄ】
2013520270.tif 000040
【図１０Ａ】
2013520270.tif 000041
【図１０Ｂ】
2013520270.tif 000042
【図１０Ｃ】
2013520270.tif 000043
【図１０Ｄ】
2013520270.tif 000044
【図１０Ｅ】
2013520270.tif 000045
【図１０Ｆ】
2013520270.tif 000046
【国際調査報告】
2013520270.tif 000047